(57)【特許請求の範囲】
【請求項１】
Ｃ．Ｉ．ピグメントレッド４８：１とＣ．Ｉ．ピグメントレッド４８：３とを含む２種以上の溶性アゾ顔料、及び非水系溶剤を含み、
２３℃において０．１Ｐａ／ｓの速度で剪断応力を０Ｐａから増加させたときの１０Ｐaにおけるインク粘度が５〜３０ｍＰａ・ｓである、インクジェット記録用非水系顔料インク。
【請求項２】
前記溶性アゾ顔料を顔料全体に対し２０質量％以上含む、請求項１に記載の非水系顔料インク。
【請求項３】
前記２種以上の溶性アゾ顔料は、Ｃ．Ｉ．ピグメントレッド５７：１をさらに含む、請求項１または２に記載の非水系顔料インク。
【発明の詳細な説明】
【技術分野】
【０００１】
本発明は、非水系顔料インクに関する。
【背景技術】
【０００２】
インクジェット記録方法は、流動性の高い液体インクを微細なノズルから噴射し、普通紙等の記録媒体に付着させて印刷を行なう印刷方法である。この方法は、比較的安価な装置で、高解像度、高品位の画像を、高速かつ低騒音で印刷可能という特徴を有し、最近急速に普及している。
【０００３】
このインクジェット記録システムに用いられるインクの色材としては、顔料を利用したものと染料を利用したものに大別される。このうち、高画質印刷に必要な耐光性、耐候性および耐水性に優れていることから、顔料を色材とするインクが増加する傾向にある。
【０００４】
溶剤からみると、インクは大きく、水系タイプインクと非水系タイプインクに分けられる。揮発性溶剤を主体とする溶剤系インクや不揮発性溶剤を主体とするオイル系インクのように、インク用溶媒として水を使用しない非水系インクは、機上安定性（間欠吐出性、長時間放置後の吐出回復性など）が良い、記録媒体のカールがない、インクの浸透乾燥時間が短い、などの特徴を有し注目されている。
【０００５】
一方、目的とする色の印刷物を得るために、２種以上の顔料を組み合わせてインクを作製することがある。しかし、非水系インクにおいて、顔料を組み合わせて調色する場合に、色再現性を十分に得ることが難しく、特に印刷画像の彩度が低下することがある。特に、赤色の色再現性を十分に得ることが難しいという問題がある。
【０００６】
また、インクジェット用非水系顔料インクは、比較的低粘度で使用されるため、貯蔵安定性を十分に得ることが望ましいが、２種以上の顔料を混合する場合には、インクの貯蔵安定性を十分に得ることがさらに難しくなることがある。
【０００７】
特許文献１では、Ｃ．Ｉ．ピグメントレッド２０２とＣ．Ｉ．ピグメントバイオレット１９との固溶体である顔料を含有し、顔料の一次粒子径及び粒子形分布が特定の値であるインクについて提案されている。しかし、引用文献１には、水性媒体のインクのみが記載され、非水系インクについては記載されていない。
【先行技術文献】
【特許文献】
【０００８】
【特許文献１】特開２０１０−２０２８５８号公報
【発明の概要】
【発明が解決しようとする課題】
【０００９】
本発明の目的としては、色再現性とともに貯蔵安定性に優れる非水系顔料インクを提供することである。
【課題を解決するための手段】
【００１０】
本発明の一側面としては、２種以上のレーキ顔料、及び非水系溶剤を含む非水系顔料インクである。
【発明の効果】
【００１１】
本発明によれば、色再現性とともに貯蔵安定性に優れる非水系顔料インクを提供することができる。
【発明を実施するための形態】
【００１２】
以下、本発明に係る実施の形態について説明するが、本実施の形態における例示が本発明を限定することはない。
【００１３】
本発明の一実施形態による非水系顔料インク（以下、単に「インク」と称することがある）は、２種以上のレーキ顔料、及び非水系溶剤を含むことを特徴とする。このようなインクによれば、色再現性とともに貯蔵安定性に優れる非水系顔料インクを提供することができる。
【００１４】
ここで、色再現性は、彩度から評価することができる。彩度ｃ＊は、国際照明委員会によるＣＩＥ（１９７６）Ｌ＊ａ＊ｂ＊色空間の規定に従って、以下の式によって表される。
彩度ｃ＊＝｛（ａ＊）２＋（ｂ＊）２｝１／２
式中、ａ＊，ｂ＊は、それぞれＬ＊ａ＊ｂ＊表色系の色座標ａ＊，ｂ＊である。
彩度は、有限会社東京電色製「カラーアナライザーＴＣ−１８００ＭＫ−ＩＩ」を用いて、測定することができる。
【００１５】
特に、赤色系の印刷物では、彩度が５６以上６２未満であることが好ましく、より好ましくは、５９以上６２未満である。彩度が５６未満であると、赤色の発色が十分ではなく、くすんだ印象を与えることがあり、一方、彩度が６２以上であると、赤色の発色が過剰になり、目に刺激を感じることがあるため、好ましくない。
【００１６】
顔料を１種のみで用いる場合では、適正な彩度で色再現性を得ることが難しいことがある。また、顔料を組み合わせて使用する場合に、１種のレーキ顔料とレーキ顔料以外の顔料とを組み合わせると、適正な彩度で色再現性を得ることが難しい上に、貯蔵安定性が低下することがある。これに対し、色再現性及び貯蔵安定性の観点から、レーキ顔料を２種以上組み合わせることが有効であるという知見を得た。
【００１７】
本実施形態のインクは、２種以上のレーキ顔料を含む。
レーキ顔料としては、溶性アゾ顔料であることが好ましく、例えば、Ｃ．Ｉ．ピグメントレッド４８：１、Ｃ．Ｉ．ピグメントレッド４８：２、Ｃ．Ｉ．ピグメントレッド４８：３、Ｃ．Ｉ．ピグメントレッド４８：４、Ｃ．Ｉ．ピグメントレッド４８：５、Ｃ．Ｉ．ピグメントレッド４９、Ｃ．Ｉ．ピグメントレッド４９：１、Ｃ．Ｉ．ピグメントレッド４９：２、Ｃ．Ｉ．ピグメントレッド４９：３、Ｃ．Ｉ．ピグメントレッド５２：１、Ｃ．Ｉ．ピグメントレッド５２：２、Ｃ．Ｉ．ピグメントレッド５３：１、Ｃ．Ｉ．ピグメントレッド５４、Ｃ．Ｉ．ピグメントレッド５７：１、Ｃ．Ｉ．ピグメントレッド５８、Ｃ．Ｉ．ピグメントレッド５８：１、Ｃ．Ｉ．ピグメントレッド５８：２、Ｃ．Ｉ．ピグメントレッド５８：３、Ｃ．Ｉ．ピグメントレッド５８：４、Ｃ．Ｉ．ピグメントレッド６０：１、Ｃ．Ｉ．ピグメントレッド６３、Ｃ．Ｉ．ピグメントレッド６３：１、Ｃ．Ｉ．ピグメントレッド６３：２、Ｃ．Ｉ．ピグメントレッド６３：３、Ｃ．Ｉ．ピグメントレッド６４：１、Ｃ．Ｉ．ピグメントレッド６８、Ｃ．Ｉ．ピグメントレッド８１、Ｃ．Ｉ．ピグメントレッド８１：１、Ｃ．Ｉ．ピグメントレッド２００、Ｃ．Ｉ．ピグメントレッド２３７、Ｃ．Ｉ．ピグメントレッド２３９、及びＣ．Ｉ．ピグメントレッド２４７等を挙げることができる。
【００１８】
上記した赤顔料の他にも、各色のレーキ顔料を用いてもよい。例えば、Ｃ．Ｉ．ピグメントブルー１、Ｃ．Ｉ．ピグメントブルー２、Ｃ．Ｉ．ピグメントブルー３、Ｃ．Ｉ．ピグメントブルー９、Ｃ．Ｉ．ピグメントブルー１０、Ｃ．Ｉ．ピグメントブルー１７：１、Ｃ．Ｉ．ピグメントブルー２４、Ｃ．Ｉ．ピグメントブルー２４：１、Ｃ．Ｉ．ピグメントブルー５６、Ｃ．Ｉ．ピグメントブルー６１、Ｃ．Ｉ．ピグメントブルー６２、Ｃ．Ｉ．ピグメントバイオレット１、Ｃ．Ｉ．ピグメントバイオレット２、Ｃ．Ｉ．ピグメントバイオレット３、Ｃ．Ｉ．ピグメントバイオレット３：１、Ｃ．Ｉ．ピグメントバイオレット３：３、Ｃ．Ｉ．ピグメントバイオレット２７、Ｃ．Ｉ．ピグメントバイオレット３９、Ｃ．Ｉ．ピグメントグリーン１、Ｃ．Ｉ．ピグメントグリーン４、Ｃ．Ｉ．ピグメントイエロー６１、Ｃ．Ｉ．ピグメントイエロー６１：１、Ｃ．Ｉ．ピグメントイエロー６２、Ｃ．Ｉ．ピグメントイエロー１００、Ｃ．Ｉ．ピグメントイエロー１０４、Ｃ．Ｉ．ピグメントイエロー１３３、Ｃ．Ｉ．ピグメントイエロー１６８、Ｃ．Ｉ．ピグメントイエロー１６９、Ｃ．Ｉ．ピグメントイエロー１８３、Ｃ．Ｉ．ピグメントイエロー１９１、Ｃ．Ｉ．ピグメントイエロー１９１：１、Ｃ．Ｉ．ピグメントイエロー２０６、Ｃ．Ｉ．ピグメントイエロー２０９、Ｃ．Ｉ．ピグメントイエロー２０９：１、及びＣ．Ｉ．ピグメントイエロー２１２等を挙げることができる。
これらは色味が近い顔料を組み合わせて用いることが好ましい。
【００１９】
レーキ顔料の組み合わせとしては、例えば、上記したレーキ顔料のうち２種以上を適宜選択して用いることができる。特に、溶性アゾ顔料を１種以上組み合わせたものが好ましい。この場合、顔料全体に対して溶性アゾ顔料を２０質量％以上含むことが好ましく、５０質量％以上含むことがより好ましく、７５質量％以上含むことがさらに好ましい。
【００２０】
より好ましくは、レーキ顔料の組み合わせとしては、Ｃ．Ｉ．ピグメントレッド４８：１（パーマネントレッド２ＢのＢａレーキ）、Ｃ．Ｉ．ピグメントレッド４８：３（パーマネントレッド２ＢのＳｒレーキ）、及びＣ．Ｉ．ピグメントレッド５７：１（ブリリアントカーミン６ＢのＣａレーキ）から選択される１種または２種以上を含むことが好ましい。さらに好ましくは、Ｃ．Ｉ．ピグメントレッド４８：１を含み、また、Ｃ．Ｉ．ピグメントレッド４８：１及びＣ．Ｉ．ピグメントレッド４８：３を含む。
【００２１】
好ましい一例としては、Ｃ．Ｉ．ピグメントレッド４８：１とＣ．Ｉ．ピグメントレッド４８：３の２種の組み合わせ、及び、Ｃ．Ｉ．ピグメントレッド４８：１とＣ．Ｉ．ピグメントレッド４８：３とＣ．Ｉ．ピグメントレッド５７：１との３種の組み合わせである。
【００２２】
顔料全体に対する各レーキ顔料の含有割合としては、特に限定されない。Ｃ．Ｉ．ピグメントレッド４８：１を含む場合は、Ｃ．Ｉ．ピグメントレッド４８：１を顔料全体に対して５０質量％以上含むことが好ましく、より好ましくは７５質量％以上である。Ｃ．Ｉ．ピグメントレッド４８：３を含む場合は、Ｃ．Ｉ．ピグメントレッド４８：３を顔料全体に対して２５質量％以下で含むことが好ましく、より好ましくは２０質量％以下である。Ｃ．Ｉ．ピグメントレッド５７：１を含む場合は、Ｃ．Ｉ．ピグメントレッド５７：１を顔料全体に対して３０質量％以下で含むことが好ましい。
【００２３】
本実施形態のインクには、本発明の効果を阻害しない範囲で、特に色再現性及び貯蔵安定性を良好に維持する範囲で、レーキ顔料以外の色材として、無機顔料、その他の有機顔料、染料等が含まれてもよい。
【００２４】
顔料の平均粒径は、分散性と保存安定性の観点から３００ｎｍ以下であることが好ましく、１５０ｎｍ以下であることがより好ましい。ここで、顔料の平均粒径は、（株）堀場製作所製の動的光散乱式粒度分布測定装置ＬＢ−５００により測定された値である。
【００２５】
インク中の全ての顔料の含有量は、通常０．０１〜２０質量％であり、印刷濃度とインク粘度の観点から３〜１５質量％であることが好ましい。
【００２６】
本実施形態のインクは、顔料分散剤をさらに含んでもよい。顔料分散剤としては、特に限定されず、顔料を溶剤中に安定して分散させるものであればよい。たとえば、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、ポリオキシエチレンアルキルリン酸エステル、ポリオキシエチレンノニルフェニルエーテル、ポリエステルポリアミン、ステアリルアミンアセテート等が好適に使用され、そのうち、高分子分散剤の使用が好ましい。これらは単独で用いられるほか、複数種を組み合わせて使用してもよい。
【００２７】
市販されている顔料分散剤の具体例としては、日本ルーブリゾール社製「ソルスパース１３９４０（ポリエステルアミン系）、１７０００、１８０００（脂肪酸アミン系）、１１２００、２２０００、２４０００、２８０００」（いずれも商品名）、共栄社化学株式会社製「フローレンＤＯＰＡ−１５Ｂ」（商品名）、楠本化成株式会社製「ＤＡ−７０３−５０、ＤＡ−７３００、ＤＡ２３４」（いずれも商品名）、ＢｙｋＣｈｅｍｉｅ社製「Ｄｉｓｐｅｒｂｙｋ−１０１」(商品名)、川研ファインケミカル株式会社製「ヒノアクト」（商品名）、ＩＳＰ社製「Ａｎｔａｒｏｎ  Ｖ−２１６、Ｇａｎｅｘ  Ｖ−２１６、Ａｎｔａｒｏｎ  Ｖ−２２０、Ｇａｎｅｘ  Ｖ−２２０」（いずれも商品名）、Ｉｎｄｕｃｈｅｍ社製「Ｕｎｉｍｅｒ  Ｕ−１５１、Ｕｎｉｍｅｒ  Ｕ−１５」（いずれも商品名）等が挙げられる。
【００２８】
非水系インク中の顔料分散剤の配合量は、適宜設定できるが、顔料分散性の観点から、重量比で、顔料１部に対し０．０５〜１．０部程度であることが好ましく、０．１〜１．０部であることがより好ましい。インク総量に対しては、顔料分散剤は、０．５〜１０重量％程度含まれていることが好ましく、１〜８重量％であることが一層好ましい。
【００２９】
非水系インクは非水系溶剤を含む。ここで、非水系溶剤とは、非極性有機溶剤および極性有機溶剤であって、５０％留出点が１５０℃以上の溶剤をいう。５０％留出点は、ＪＩＳ  Ｋ００６６「化学製品の蒸留試験方法」に従って測定される、重量で５０％の溶剤が揮発したときの温度を意味する。
【００３０】
たとえば、非極性有機溶剤としては、脂肪族炭化水素溶剤、脂環式炭化水素系溶剤、芳香族炭化水素溶剤等を好ましく挙げることができる。脂肪族炭化水素溶剤、脂環式炭化水素系溶剤としては、たとえば、日本石油（株）製「テクリーンＮ−１６、テクリーンＮ−２０、テクリーンＮ−２２、日石ナフテゾールＬ、日石ナフテゾールＭ、日石ナフテゾールＨ、０号ソルベントＬ、０号ソルベントＭ、０号ソルベントＨ、日石アイソゾール３００、日石アイソゾール４００、ＡＦ−４、ＡＦ−５、ＡＦ−６、ＡＦ−７」、Ｅｘｘｏｎ社製「Ｉｓｏｐａｒ（アイソパー）Ｇ、Ｉｓｏｐａｒ  Ｈ、Ｉｓｏｐａｒ  Ｌ、Ｉｓｏｐａｒ  Ｍ、Ｅｘｘｓｏｌ  Ｄ４０、Ｅｘｘｓｏｌ  Ｄ８０、Ｅｘｘｓｏｌ  Ｄ１００、Ｅｘｘｓｏｌ  Ｄ１３０、Ｅｘｘｓｏｌ  Ｄ１４０」、株式会社ジャパンエナジー製「ノルマルパラフィンＨ」等を好ましく挙げることができる。芳香族炭化水素溶剤としては、日本石油（株）製「日石クリーンソルＧ」（アルキルベンゼン）、Ｅｘｘｏｎ社製「ソルベッソ２００」等を好ましく挙げることができる。
【００３１】
極性有機溶剤としては、エステル系溶剤、アルコール系溶剤、高級脂肪酸系溶剤、エーテル系溶剤、およびこれらの混合溶剤を用いることができる。たとえば、炭素数８〜２０の高級脂肪酸と炭素数１〜２４のアルコールとのエステルであるエステル系溶剤、炭素数８〜２４の高級アルコール、および炭素数８〜２０の高級脂肪酸からなる群から選ばれた１種以上を好ましく使用できる。
【００３２】
極性有機溶剤としてより具体的には、ラウリル酸メチル、ラウリル酸イソプロピル、ミリスチン酸イソプロピル、ミリスチン酸イソオクチル、パルミチン酸イソプロピル、パルミチン酸イソステアリル、オレイン酸メチル、オレイン酸エチル、オレイン酸イソプロピル、オレイン酸ブチル、リノール酸メチル、リノール酸イソブチル、リノール酸エチル、イソステアリン酸イソプロピル、大豆油メチル、大豆油イソブチル、トール油メチル、トール油イソブチル、アジピン酸ジイソプロピル、セバシン酸ジイソプロピル、セバシン酸ジエチル、モノカプリン酸プロピレングリコール、トリ２エチルヘキサン酸トリメチロールプロパン、トリ２−エチルヘキサン酸グリセリルなどのエステル系溶剤；イソミリスチルアルコール、イソパルミチルアルコール、イソステアリルアルコール、オレイルアルコール、ヘキシルデカノール、オクチルドデカノール、デシルテトラデカノールなどのアルコール系溶剤；ノナン酸、イソノナン酸、イソミリスチン酸、ヘキサデカン酸、イソパルミチン酸、オレイン酸、イソステアリン酸などの高級脂肪酸系溶剤；ジエチルグリコールモノブチルエーテル、エチレングリコールモノブチルエーテル、プロピレングリコールモノブチルエーテル、プロピレングリコールジブチルエーテルなどのエーテル系溶剤、が好ましく挙げられる。
これらの非水系溶剤は単独で、または２種以上を組み合わせて使用することができる。
【００３３】
非水系インクには、それぞれ上記の成分に加え、任意に、表面張力調整剤（浸透剤）、消泡剤、酸化防止剤等を適宜含有させることができる。
【００３４】
表面張力調整剤、消泡剤等として、アニオン性界面活性剤、カチオン性界面活性剤、両性界面活性剤、非イオン性界面活性剤、または高分子系、シリコーン系、フッ素系の界面活性剤を使用することができる。
【００３５】
酸化防止剤として、たとえば、ジブチルヒドロキシトルエン、没食子酸プロピル、トコフェロール、ブチルヒドロキシアニソール、ノルジヒドログアヤレチック酸等を使用でき、これらを単独で用いても、２種以上を混合して用いてもよい。
【００３６】
インクは、ボールミル、ビーズミル等の任意の分散手段を用いて配合成分を混合することによって調製できるが、たとえば、顔料と、顔料分散剤と、非水系溶剤とを含む顔料分散体をまず調製し、さらに非水系溶剤およびその他の任意の成分を加えて製造することができる。顔料分散体を調製する際の非水系溶剤（あるいは希釈溶剤）は、インクに含まれる非水系溶剤と同じであることが好ましく、さらには分散剤を溶液重合により合成する場合には、その重合溶媒と同じであることが好ましい。
【００３７】
非水系インクは、インクジェット記録装置用として好ましく使用できる。インクジェット用インクとして用いる場合のインクの粘度は、吐出ヘッドのノズル径や吐出環境等によってその適性範囲は異なるが、一般に、２３℃において５〜３０ｍＰａ・ｓであることが好ましく、５〜１５ｍＰａ・ｓであることがより好ましく、５〜１３ｍＰａ・ｓであることがさらに好ましい。ここで粘度は、２３℃において０．１Ｐａ／ｓの速度で剪断応力を０Ｐａから増加させたときの１０Ｐａにおける値を表す。
【００３８】
次に、本実施形態による非水系顔料インクを用いた印刷方法としては、特に制限されないが、インクジェット記録方法によって記録媒体に非水系顔料インクを印刷することができる。インクジェット記録方法としては、ピエゾ方式、静電方式、サーマル方式など、いずれの方式のものであってもよい。インクジェット記録装置を用いる場合は、デジタル信号に基づいてインクジェットヘッドからインクを吐出させ、吐出されたインク液滴を記録媒体に付着させるようにする。インクジェット記録方法としてラインヘッド方式を用いることもでき、ラインヘッド方式のインクジェット記録方法によれば高速の印刷速度による印刷が可能である。
【００３９】
記録媒体としては、特に限定されず、普通紙、上質普通紙、インクジェット（ＩＪ）紙、ＩＪマット紙、記録媒体上にインク吸収溶液がコートされたコート紙、コート紙よりもインク吸収層の厚みが薄い微コート紙、光沢紙（フォト光沢用紙）、特殊紙、布等で使用することができる。
【実施例】
【００４０】
以下、本発明を実施例により詳しく説明するが、本発明はこれらに限定されるものではない。
【００４１】
＜インク＞
表１に示す顔料、顔料分散剤、及び溶剤の一部を混合し、ジルコニアビーズ（直径０．５ｍｍ）を入れ、ロッキングミル（株式会社セイワ技研製）により１２０分間分散した。分散後、ジルコニアビーズを除去し、顔料分散体を得た。次に、顔料分散体に非水系溶剤の残部を加えて希釈し３．０μｍおよび０．８μｍのメンブレンフィルターで順に濾過してゴミおよび粗大粒子を除去し、インクを作製した。
【００４２】
表１で使用した各成分を以下に示す。
Ｃ．Ｉ．ピグメントレッド４８：１：溶性アゾ顔料  パーマネントレッド２ＢのＢａレーキ
Ｃ．Ｉ．ピグメントレッド４８：３：溶性アゾ顔料、パーマネントレッド２ＢのＳｒレーキ
Ｃ．Ｉ．ピグメント４８：１とＣ．Ｉ．ピグメント４８：３は、Ｃ．Ｉ．ピグメント４８：１とＣ．Ｉ．ピグメント４８：３が８：２（質量比）で混合された富士色素株式会社製「ＦＵＪＩ  ＲＥＤ  ５Ｒ  ７３４」を使用した。
Ｃ．Ｉ．ピグメントレッド５７：１：溶性アゾ顔料、ブリリアントカーミン６ＢのＣａレーキ、ＤＩＣ株式会社製「ＳＹＭＵＬＥＲ  ＢＲＩＬＬＩＡＮＴ  ＣＡＲＭＩＮＥ  ６Ｂ  ３２１」
Ｃ．Ｉ．ピグメントレッド１２２：キナクリドン顔料、２，９−ジメチルキナクリドン、ＤＩＣ株式会社製「ＦＡＳＴＯＧＥＮ  ＳＵＰＥＲ  ＭＡＧＥＮＴＡ  ＲＨ」
Ｃ．Ｉ．ピグメントバイオレット１９：キナクリドン顔料、無置換キナクリドン、クラリアントジャパン株式会社製「ＨＯＳＴＡＰＥＲＭ  ＲＥＤ  Ｅ３Ｂ」
Ｃ．Ｉ．ピグメントレッド２０２：キナクリドン顔料、２，９−ジクロロキナクリドン、ＤＩＣ株式会社製「ＱＵＩＮＤＯ  Ｍａｇｅｎｔａ  ２０２」
Ｃ．Ｉ．ピグメントレッド１４６：不溶性アゾ顔料、パーマネントカーミンＦＢＢ、クラリアントジャパン株式会社製「ＰＥＲＭＡＮＥＮＴ  ＣＡＲＭＩＮＥ  ＦＢ  Ｂ０２」
Ｓ１１２００：日本ルーブリゾール株式会社製「ソルスパース１１２００」
パルミチン酸イソオクチル：エステル系溶剤、日光ケミカルズ社製「ニッコールＩＯＰ」
ＡＦ４：石油系炭化水素溶剤、新日本石油株式会社製「ＡＦソルベント４号（ナフテン系溶剤）」
イソミリスチルアルコール：高級アルコール系溶剤、日産化学工業株式会社製「ＦＯＣ１４０Ｎ」、炭素数１４
【００４３】
＜評価＞
各実施例及び比較例の彩度及び貯蔵安定性を評価し、結果を表１にあわせて示す。
【００４４】
（印刷物の作製）
インクジェットヘッド（東芝ＴＥＣ株式会社製ＣＢ２ヘッド）を用い、以下の印刷条件で印刷物を作製した。
解像度：３００ｄｐｉ×３００ｄｐｉ
ドロップ数：５ドロップ
画像：ベタ画像
用紙：理想用紙薄口（理想科学工業株式会社製）
【００４５】
（彩度）
印刷物作製１日後、有限会社東京電色製「カラーアナライザーＴＣ−１８００ＭＫ−II」で測定し、その測定結果を以下のように評価した。
彩度ｃ＊＝｛（ａ＊）２＋（ｂ＊）２｝１／２
Ａ：彩度が、５９以上６２未満
Ｂ：彩度が、５６以上５９未満
Ｃ：彩度が、５６未満または６２以上
【００４６】
（インクの粘度）
インクの粘度は、２３℃において０．１Ｐａ／ｓの速度で剪断応力を０Ｐａから増加させたときの１０Ｐａにおける粘度であり、ハーケ社製応力制御式レオメーターＲＳ７５（コーン角度１°、直径６０ｍｍ）で測定した。その結果、いずれのインクも、５〜１３ｍＰａ・ｓの、インクジェット用インクとして適正な粘度を備えていた。
【００４７】
（インクの貯蔵安定性）
作製したインクを密閉容器に入れ、７０℃の環境下で４週間放置し、その後インクの粘度変化を測定し、その測定結果を以下のように評価した。
粘度変化率：［（４週間後の粘度×１００）／（粘度の初期値）］―１００（％）
Ａ：粘度変化率が５％未満
Ｂ：粘度変化率が５％以上１０％未満
Ｃ：粘度変化率が１０％以上
【００４８】
【表１】
0005784954.tif 000002
【００４９】
表１に示す通り、各実施例のインクは、彩度及び貯蔵安定性が優れていた。比較例１及び２は、レーキ顔料を１種のみ含み、彩度が適正でなかった。比較例３及び４は、レーキ顔料とキナクリドン顔料との組み合わせであり、比較例５は、レーキ顔料と不溶性アゾ顔料との組み合わせであり、比較例６は、２種のキナクリドン顔料の組み合わせであり、いずれも彩度が適正でなく、貯蔵安定性も良好でなかった。